(57)【要約】【課題】不特定のサイズのシート材であっても，そのサイズを適切に検出すること。【解決手段】原稿或いは記録紙等のシート材のサイズを自動的に検出する画像形成装置に，シート材検出センサの出力信号と所定の用紙サイズとの組み合わせに関する組み合わせ情報の内容を変更する組み合わせ情報変更手段を設ける。これにより組み合わせ情報内の用紙サイズを任意のサイズに変更することが可能となる。また，上記組み合わせ情報の内容をカスタマイズするカスタマイズモードから上記組み合わせ情報に含まれる所定の用紙サイズを選択し，選択された用紙サイズを変更することにより新たな組み合わせ情報を生成することによっても同様の効果を奏する。【選択図】図１
2005024713.tif 000002
【特許請求の範囲】
【請求項１】
シート材のサイズを検出するための複数のシート材検出センサの出力信号と該出力信号に応じた所定の用紙サイズとの組み合わせに関する組み合わせ情報から，上記シート材に対応する用紙サイズを抽出することにより上記シート材のサイズを検出する画像形成装置において，
上記組み合わせ情報の内容を変更する組み合わせ情報変更手段を具備してなることを特徴とする画像形成装置。
【請求項２】
シート材のサイズを検出するための複数のシート材検出センサの出力信号と該出力信号に応じた所定の用紙サイズとの組み合わせに関する組み合わせ情報から，上記シート材に対応する用紙サイズを抽出することにより上記シート材のサイズを検出する画像形成装置において，
上記組み合わせ情報の内容をカスタマイズするカスタマイズ手段と，
上記カスタマイズ手段から上記組み合わせ情報に含まれる用紙サイズを選択する用紙サイズ選択手段と，
上記用紙サイズ選択手段により選択された用紙サイズを変更することにより新たな組み合わせ情報を生成する組み合わせ情報生成手段と，
を具備してなることを特徴とする画像形成装置。
【請求項３】
上記シート材が，画像データが読み取られる原稿或いは形成された画像が転写される記録紙である請求項１又は２に記載の画像形成装置。
【請求項４】
上記用紙サイズ選択手段が，上記複数のシート材検出センサの出力信号に対応する用紙サイズを上記組み合わせ情報から選択するものである請求項２又は３に記載の画像形成装置。
【請求項５】
予め複数の用紙サイズが登録された登録用紙サイズ情報と，該用紙サイズ情報から所望の用紙サイズを選択する登録用紙サイズ選択手段とを更に具備し，
上記組み合わせ情報生成手段が，上記用紙サイズ選択手段により選択された用紙サイズを上記登録用紙サイズ選択手段により選択された登録用紙サイズに置換することにより新たな組み合わせ情報を生成するものである請求項２〜４に記載の画像形成装置。
【請求項６】
上記登録用紙サイズ情報の内容を変更する登録用紙サイズ変更手段を更に具備してなる請求項２〜５に記載の画像形成装置。
【請求項７】
上記登録用紙サイズ変更手段が，上記登録用紙サイズ情報の内容を設定入力された任意の用紙サイズに変更するものである請求項２〜６に記載の画像形成装置。
【請求項８】
上記組み合わせ情報がテーブル化或いはリスト化された情報形態で管理されてなる請求項１〜７のいずれかに記載の画像形成装置。
【請求項９】
シート材のサイズを検出するための複数のシート材検出センサの出力信号と該出力信号に応じた所定の用紙サイズとの組み合わせに関する組み合わせ情報から，上記シート材に対応する用紙サイズを抽出することにより上記シート材のサイズを検出する画像形成装置のシート材のサイズ検出方法において，
上記組み合わせ情報の内容をカスタマイズするカスタマイズ手段から，上記組み合わせ情報に含まれる所定の用紙サイズを選択する用紙サイズ選択工程と，
上記用紙サイズ選択手段により選択された用紙サイズを変更することにより新たな組み合わせ情報を生成する組み合わせ情報生成工程と，
を具備してなることを特徴とするシート材のサイズ検出方法。
【発明の詳細な説明】
【０００１】
【発明の属する技術分野】
本発明は，シート材のサイズを自動的に検出する画像形成装置及びシート材のサイズ検出方法に関し，特に，シート材のサイズを検出するための複数のセンサ出力の組み合わせに応じて自動的にシート材のサイズを検出する画像形成装置及びシート材のサイズ検出方法に関するものである。
【０００２】
【従来の技術】
従来，複写機，スキャナ装置等の画像形成装置には，印刷する用紙を自動選択するために原稿のサイズを検出する機能が設けられている。これは，原稿台内部に原稿のサイズを検出するための複数の原稿用紙検出センサを設け，この複数のセンサの出力信号に応じた用紙サイズが示された用紙サイズテーブルから，原稿のサイズに最も近似する用紙サイズを抽出することにより原稿のサイズを検出するものである。
ここで，図６用いて，従来の原稿サイズ検出機能について詳細に説明する。図６は定型用紙サイズ及び原稿検出センサの配置関係を示す図である。図６に示すように，画像形成装置の原稿読取装置内部に複数のセンサ６０ａ〜６０ｆが配設されている。上記センサ６０ａ〜６０ｄは原稿基準位置６２から主走査方向へ一直線上に配置されおり，例えば，センサ６０ａは上記原稿基準位置６２から主走査方向へ０〜１８２ｍｍまでの位置に配置され，センサ６０ｂは１８３〜２１０ｍｍ，センサ６０ｃは２１１〜２５７ｍｍ，センサ６０ｄは２５８ｍｍ以上の位置に配置されているものとする。また，上記センサ６０ｅ，６０ｆは原稿基準位置６２から副走査方向へ一直線上に配置されており，例えばセンサ６０ｅは上記原稿基準位置５２から主走査方向へ２５８〜２９７ｍｍまでの位置に配置され，センサ６０ｆは２９８〜３６４ｍｍまでの位置に配置されているものとする。これらのセンサは原稿台裏面側（原稿読取装置内部）に設けられており，該センサの上方に用紙が載置された場合にＯＮ（ＨＩＧＨ）信号を出力し，用紙が載置されない場合はＯＦＦ（ＬＯＷ）信号を出力するものである。従って，例えば，Ａ５サイズ（１４８×２１０）の原稿がセットされた場合はセンサ６０ａ及び６０ｂだけがＯＮ状態となり，他のセンサはＯＦＦ状態を維持する。また，Ａ４Ｒサイズ（２１０×２９７）の原稿がセットされた場合はセンサ６０ａ，６０ｂ及び６０ｄがＯＮ状態となり，他のセンサはＯＦＦ状態を維持する。このように従来の画像形成装置では，原稿サイズ毎に原稿サイズ検出センサの出力信号の組み合わせが異なることを利用して，図７に示される複数の用紙検出センサの出力信号に対応した用紙サイズが示された用紙サイズテーブル７０から，用紙検出センサの出力信号の組み合わせに応じた用紙サイズを抽出することにより原稿サイズを検出していた。
【０００３】
また，従来，複写機等の画像形成装置には，画像が転写される記録紙を収納する用紙カセットが設けられており，大型の複写機等であれば，この用紙カセットは使用する記録紙のサイズ毎に応じて複数設けられている。上記画像形成装置には，上記用紙カセットを識別して収納されている記録紙のサイズを検出する機能も設けられている。これは，上記用紙カセット毎に予め付された識別コード等を認識し，この認識された識別コードに応じて上記用紙カセットに収納された記録紙のサイズを検出するものである。
【０００４】
【特許文献１】
特開平８−１６３３２７号公報
【０００５】
【発明が解決しようとする課題】
しかしながら，原稿のサイズを検出する場合，通常，上記用紙サイズテーブル７０は製造過程或いは出荷前にメーカにおいて作成されるものであり，その後，ユーザの意志により上記用紙サイズテーブルの内容を任意に変更することができなかった。一般に，上記用紙サイズテーブル７０は最も頻繁に使用される定型用紙（Ａ４，Ｂ４等）が割り当てられているが，ユーザの使用環境によっては，例えば，Ａ４，Ａ４Ｒサイズ（２１０×２９７）に代えてＬｅｔｔｅｒ，ＬｅｔｔｅｒＲサイズ（２１５．９×２７９．４）を使用する頻度が高い場合がある。この場合，Ａ４Ｒを検出するセンサ出力の組み合わせとＬｅｔｔｅｒＲ６３を検出するセンサ出力の組み合わせが同じであるため，図６に示すように，ＬｅｔｔｅｒＲ６３を原稿台６１にセットして原稿サイズを検出させると，Ａ４Ｒのサイズを誤って検出することになる。また，ＬｅｇａｌＲサイズ（２１５．５×３５５．６）を検出させた場合は，センサ出力の組み合わせに該当する用紙が上記用紙サイズテーブル７０に存在しないので検出することができない。このような場合に，上記用紙サイズテーブル７０の内容を変更（カスタマイズ）することができないとすると，ユーザにとって非常に不便である。
【０００６】
また，用紙カセットに収納された記録紙を検出する場合は，一般に，最も頻繁に使用される定型用紙（Ａ４，Ｂ４等）のサイズに適用する用紙カセットは設けられているが，上記Ｌｅｔｔｅｒ，ＬｅｔｔｅｒＲサイズ（２１５．９×２７９．４）に適用する用紙カセットは設けられていないのが現状である。従って，上記Ｌｅｔｔｅｒ，ＬｅｔｔｅｒＲサイズを記録紙として使用する場合は，手差しフィーダー等にセットして使用しなければならないため，利便性の良いものとは言えず，ユーザにとって非常に不便であった。
【０００７】
一方，特許文献１には，原稿の副走査方向のサイズをＣＣＤにより検知する画像読取装置が提案されており，これによると，従来と較べてより正確な原稿サイズを測定することが可能となる。しかし，上記特許文献１の画像読取装置は，ＣＣＤを用いて原稿用紙の副走査方向のサイズを測定するに留まるものであり，前記の問題を解決するに至っていない。
【０００８】
従って，本発明は上記事情に鑑みてなされたものであり，その第１の目的とするところは，不特定のサイズの原稿或いは記録紙等のシート材であっても，そのサイズを適切に検出することができる画像形成装置及びシート材のサイズ検出方法を提供することにある。また，その第２の目的とするところは，記録紙のサイズ毎に設けられた用紙カセットの共通化を実現することができる画像形成装置及びシート材のサイズ検出方法を提供することにある。
【０００９】
【課題を解決するための手段】
上記目的を達成するために本発明は，シート材のサイズを検出するための複数のシート材検出センサの出力信号と該出力信号に応じた所定の用紙サイズとの組み合わせに関する組み合わせ情報から，上記シート材に対応する用紙サイズを抽出することにより上記シート材のサイズを検出する画像形成装置において，上記組み合わせ情報の内容を変更する組み合わせ情報変更手段を具備してなることを特徴とする画像形成装置として構成されている。
これにより，不特定のサイズの原稿或いは記録紙等のシート材であっても，そのサイズを適切に検出することが可能となる。
【００１０】
また，本発明は，シート材のサイズを検出するための複数のシート材検出センサの出力信号と該出力信号に応じた所定の用紙サイズとの組み合わせに関する組み合わせ情報から，上記シート材に対応する用紙サイズを抽出することにより上記シート材のサイズを検出する画像形成装置において，上記組み合わせ情報の内容をカスタマイズするカスタマイズ手段と，上記カスタマイズ手段から上記組み合わせ情報に含まれる用紙サイズを選択する用紙サイズ選択手段と，上記用紙サイズ選択手段により選択された用紙サイズを変更することにより新たな組み合わせ情報を生成する組み合わせ情報生成手段と，を具備してなることを特徴とする画像形成装置として捉えたものであっても，前記課題を解決し得る。
この場合，上記シート材が，画像データが読み取られる原稿或いは形成された画像が転写される記録紙であることが望ましい。これにより，上記用紙サイズ選択手段が，上記複数のシート材検出センサの出力信号に対応する用紙サイズを上記組み合わせ情報から選択するものであることが望ましい。
【００１１】
また，予め複数の用紙サイズが登録された登録用紙サイズ情報と，該用紙サイズ情報から所望の用紙サイズを選択する登録用紙サイズ選択手段とを更に具備し，上記組み合わせ情報生成手段が，上記用紙サイズ選択手段により選択された用紙サイズを上記登録用紙サイズ選択手段により選択された登録用紙サイズに置換することにより新たな組み合わせ情報を生成するものであれば，例えば変更するサイズを手動入力する必要が無くなり，より簡便に新たな組み合わせ情報を生成することが可能となる。
【００１２】
また，上記登録用紙サイズ情報の内容を変更する登録用紙サイズ変更手段を更に具備する構成とすることにより，既定の登録用紙サイズだけでなく，あらゆるサイズの用紙に関する上記組み合わせ情報を生成することが可能となる。この場合，上記登録用紙サイズ変更手段が，上記登録用紙サイズ情報の内容を設定入力された任意の用紙サイズに変更するものであることが望ましい。
【００１３】
また，上記組み合わせ情報がテーブル化或いはリスト化された情報形態で管理されたものであることが考えられる。これにより，容易に上記組み合わせ情報が管理され得る。
【００１４】
また，本発明は，上記画像形成装置が具備する各手段に相当する処理を行うシート材のサイズ検出方法として捉えたものであってもよい。
即ち，シート材のサイズを検出するための複数のシート材検出センサの出力信号と該出力信号に応じた所定の用紙サイズとの組み合わせに関する組み合わせ情報から，上記シート材に対応する用紙サイズを抽出することにより上記シート材のサイズを検出する画像形成装置のシート材のサイズ検出方法において，上記組み合わせ情報の内容をカスタマイズするカスタマイズ手段から，上記組み合わせ情報に含まれる所定の用紙サイズを選択する用紙サイズ選択工程と，上記用紙サイズ選択手段により選択された用紙サイズを変更することにより新たな組み合わせ情報を生成する組み合わせ情報生成工程と，を具備してなることを特徴とするシート材のサイズ検出方法として構成することができる。
【００１５】
【発明の実施の形態】
以下添付図面を参照しながら，本発明の一実施の形態について説明し，本発明の理解に供する。尚，以下の実施の形態は，本発明を具体化した一例であって，本発明の技術的範囲を限定する性格のものではない。
ここに，図１は本発明の実施の形態に係る画像形成装置の概略構成を示すブロック図，図２は本発明の実施の形態に係る第１の用紙サイズ変更処理の手順を説明するフローチャート，図３は本発明の実施の形態に係る第２の用紙サイズ変更処理の手順を説明するフローチャート，図４は本発明の実施の形態に係る登録用紙サイズ変更処理の手順を説明するフローチャート，図５はカスタマイズモードで表示されるテーブル設定変更画面の一例，図６は定型用紙サイズ及び原稿検出センサの配置関係を示す図，図７は用紙検出センサの出力信号に対応する用紙サイズを示す図表である。
【００１６】
まず，図１のブロック図を用いて，本発明の実施の形態１に係る画像形成装置Ｘの概略構成について説明する。尚，画像形成装置Ｘは複写機，スキャナ装置，ファクシミリ装置，プリンタ装置或いはこれらの装置の機能を複数備えた複合機等を総称するものである。
図１に示されるように，本画像形成装置Ｘは，ＲＯＭやフラッシュメモリ等の不揮発性メモリからなる記憶部２０と，上記画像形成装置Ｘの各種設定操作を行なうと共にその設定画面等を表示するタッチパネル等からなる操作表示部３０と，原稿台６１にセットされた原稿（シート材の一例）のサイズを検出する原稿検出センサ６０（シート材検出センサの一例）と，上記各部を制御すると共に，用紙サイズ選択手段の一例である用紙サイズ選択機能１１，組み合わせ情報生成手段の一例である組み合わせ情報生成機能１２，登録用紙サイズ選択手段の一例である登録用紙サイズ選択機能１３，登録用紙サイズ変更手段の一例である登録用紙サイズ変更機能１４を有する制御部１０とを具備して構成されている。
上記記憶部２０の用紙サイズテーブル格納領域２１には，複数の原稿検出センサ６０（６０ａ〜６０ｆ）の出力信号と用紙サイズとの組み合わせに関する組み合わせ情報の一例である用紙サイズテーブル７０（図５参照）についてのデータが格納されており，登録用紙サイズテーブル格納領域２２には複数の用紙サイズが登録された登録用紙サイズ情報の一例である登録用紙サイズテーブル５４（図５参照）についてのデータが格納されている。
上記操作表示部３０には，図５に示される用紙サイズテーブル設定変更画面５０が表示され，ユーザは上記設定変更画面５０上において設定キー５１，終了キー５２を操作することにより上記用紙サイズテーブル７０の内容を変更し，また必要に応じて登録サイズ変更キー５３を操作することにより上記登録用紙サイズテーブル５４の内容を変更する。この変更操作については後述する。
【００１７】
ここで，上記制御部１０が実行する用紙サイズ選択機能１１，組み合わせ情報生成機能１２，登録用紙サイズ選択機能１３，登録用紙サイズ変更機能１４について説明する。
用紙サイズ選択機能１１とは，原稿のサイズを検出するための複数の原稿検出センサ６０の出力信号と用紙サイズとの組み合わせに関する組み合わせ情報の内容をカスタマイズするカスタマイズ手段の一例であるカスタマイズモードから上記組み合わせ情報に含まれる所定の用紙サイズを選択する機能である。具体的には，図５（ａ）に示される用紙サイズテーブル設定変更画面５０を上記操作表示部３０に表示させて，ユーザに対して上記組み合わせ情報の一例である用紙サイズテーブル７０から所定の用紙サイズの選択を促し，そしてユーザにより例えばＡ４Ｒサイズが選択された場合には，図５（ｂ）に示すようにＡ４Ｒサイズの項目の表示色を反転させてＡ４Ｒサイズが選択されたことを明確に表示する機能である。また，上記用紙サイズ選択機能１１は，サイズを検出させたい原稿が原稿台にセットされ，この原稿が複数の原稿検出センサにより検出され，その出力信号に対応する用紙サイズを上記組み合わせ情報から選択する機能でもある。例えば，原稿台にセットされたＬｅｔｔｅｒＲサイズの原稿が上記原稿検出センサ６０により検出された場合に，該原稿検出センサ６０の出力信号に対応するＡ４Ｒサイズの項目の表示色を反転させてＡ４Ｒサイズが選択されたことを明確に表示する機能である。尚，上記カスタマイズモードは，例えば，上記画像形成装置Ｘに通信可能に接続されたパソコン等の端末装置に実装（インストール）されたプリンタドライバやユーティリティソフト等に設けられたものであってもよい。このような実施形態であれば，ユーザが画像形成装置Ｘの傍まで行って用紙サイズテーブル７０から所定の用紙サイズの選択をするという面倒な作業をする必要がなくなり，更に利便性が向上する。
【００１８】
登録用紙サイズ選択機能１３とは，予め複数の用紙サイズが登録された登録用紙サイズ情報から所望の用紙サイズを選択する機能である。具体的には，図５（ｃ）に示される用紙サイズテーブル設定変更画面５０に登録用紙サイズテーブル５４を表示させて，ユーザに対して登録用紙サイズテーブル５４から原稿サイズの検出をさせる所望の用紙サイズの選択を促し，そしてユーザにより例えばＬｅｔｔｅｒＲサイズが選択された場合には，ＬｅｔｔｅｒＲの項目の表示枠を囲むことによりＬｅｔｔｅｒＲサイズが選択されたことを明確に表示する機能である。
【００１９】
組み合わせ情報生成機能１２とは，上記用紙サイズ選択機能１１により選択された用紙サイズを変更することにより新たな組み合わせ情報を生成する機能であって，上記組み合わせ情報から上記用紙サイズ選択機能１１により選択された用紙サイズを上記登録用紙サイズ選択機能１３により選択された登録用紙サイズに置き換えることにより，上記組み合わせ情報の内容を変更させて，新たな組み合わせ情報を生成する機能をいう。例えば上記用紙サイズ選択機能１１により選択された用紙サイズテーブル７０内のＡ４Ｒサイズを上記登録用紙サイズ選択機能１３により選択された登録用紙サイズテーブル５４内のＬｅｔｔｅｒＲサイズに置き換えることにより，上記用紙サイズテーブル７０の内容を変更して新たな用紙サイズテーブルを生成する機能である。
【００２０】
登録用紙サイズ変更機能１４とは，予め複数の用紙サイズが登録された登録用紙サイズ情報の内容を変更する機能であって，例えば，図５（ｃ）に示される用紙サイズ設定変更画面において，上記登録用紙サイズ選択機能１３により所定の用紙サイズが選択され，その後に登録サイズ変更キー５３が押圧されることにより，不図示の登録用紙サイズ変更画面を上記操作表示部３０に表示させ，ユーザによる入力操作に応じて上記選択された登録用紙サイズの名称，縦横寸法等を変更する機能である。また，この登録用紙サイズ変更機能１４は，既定の用紙サイズの内容を変更するだけでなく，例えば，登録用紙サイズテーブル５４の空欄５５に新たな用紙サイズを追加登録する機能でもある。
【００２１】
次に，図２のフローチャートを用いて画像処理装置Ｘの制御部１０が行う第１の用紙サイズテーブル変更処理の一例について説明する。図中のＳ１００，Ｓ１１０…は処理手順（ステップ）番号を示す。処理はステップＳ１００より開始される。
ユーザにより上記操作表示部３０において用紙サイズをカスタマイズするカスタマイズモードが選択されると，制御部１０は，図５（ａ）に示される用紙サイズテーブル設定変更画面５０を上記操作表示部３０に表示する（Ｓ１００）。続いてステップＳ１１０では，例えばユーザが上記設定変更画面５０上で用紙サイズテーブル７０内のＡ４Ｒサイズを選択したことにより出力される用紙サイズ選択信号を検出する。この用紙サイズ選択信号が検出されると，図５（ｃ）に示すように上記設定変更画面５０に登録用紙サイズテーブル５４を表示させ（Ｓ１２０），ユーザに対して検出させたい登録用紙サイズを選択するよう促す。ステップＳ１３０においてユーザにより例えば登録されているＬｅｔｔｅｒＲサイズが選択されたことにより出力される登録用紙サイズ選択信号が検出され，続いて設定キー５１が押圧されると，ステップＳ１４０において，用紙サイズテーブル内のＡ４ＲサイズがＬｅｔｔｅｒＲに変更される。その後，スッテプＳ１５０においてユーザが終了キー５２押圧した場合に出力される信号を検出したかどうかが判断され，検出したと判断された場合は第１の用紙サイズテーブル変更処理が終了する。このような処理を行なうことにより，用紙サイズテーブル７０に予め設定されていないＬｅｔｔｅｒ等の規定の用紙サイズの原稿であっても，その原稿サイズを検出するよう上記用紙サイズテーブル７０の内容を変更し，原稿サイズの検出を適切に検出するよう設定することが可能となる。
このように，ステップＳ１００及びＳ１１０の処理を実行する機能が用紙サイズ選択機能１１の一例であり，ステップＳ１２０及びＳ１３０の処理を実行する機能が登録用紙サイズ選択機能１３の一例であり，ステップＳ１４０の処理を実行する機能が組み合わせ情報生成機能１２の一例である。
【００２２】
続いて，図３のフローチャートを用いて画像処理装置Ｘの制御部１０が行う第２の用紙サイズテーブル変更処理の一例について説明する。図中のＳ２００，Ｓ２１０…は処理手順（ステップ）番号を示す。処理はステップＳ２００より開始される。
ユーザにより上記操作表示部３０において用紙サイズをカスタマイズするカスタマイズモードが選択されると，制御部１０は，図５（ａ）に示される用紙サイズテーブル設定変更画面５０を上記操作表示部３０に表示する（Ｓ２００）。その後，ユーザによりサイズを検出させたい原稿（例えばＬｅｔｔｅｒＲ）が原稿台にセットされ，この原稿が複数の原稿検出センサ６０により検出されると，そのセンサの出力信号に対応する用紙サイズであるＡ４Ｒサイズの項目の表示色を反転させて，上記設定変更画面５０の用紙サイズテーブル７０にＡ４Ｒが選択されたことを明確に表示させる（Ｓ２１０）。このように選択された用紙サイズは，上述したステップＳ１２０〜Ｓ１５０と同様の処理がステップＳ２２０〜Ｓ２５０において実行されることにより第２の用紙サイズテーブル変更処理が終了する。かかる処理が実行されることにより，ユーザによる用紙サイズの選択という操作を排除することができ，操作の容易性が高まることになる。このような，上記ステップＳ２００及びＳ２１０の処理を実行する機能が用紙サイズ選択機能１１の一例である。
【００２３】
次に，図４のフローチャートを用いて画像処理装置Ｘの制御部１０が行う登録用紙サイズ変更処理の一例について説明する。図中のＳ３００，Ｓ３１０…は処理手順（ステップ）番号を示す。処理はステップＳ３００より開始される。
上述のステップＳ１２０或いはＳ２２０において図５（ｃ）に示す登録用紙サイズテーブル５４を含む用紙サイズ設定変更画面５０が表示され（Ｓ３００），ユーザにより登録用紙サイズの内容を変更する登録用紙サイズの項目が選択されることにより出力される登録変更サイズ選択信号が検出され（Ｓ３１０），その後，ユーザにより登録サイズ変更キー５３が押圧されると，制御部１０は上記操作表示部３０に登録用紙サイズ変更画面（不図示）を表示させる（Ｓ３２０）。この画面上において，ユーザは，上記ステップＳ３１０において選択された登録用紙サイズの縦横寸法或いは用紙サイズ名称等を任意に変更することができる。例えば，上記操作表示部３０に設けられたテンキーや十字キー或いは外部に接続されたキーボード等の入力手段を用いて用紙の寸法，用紙サイズの名称等を入力することにより，選択された登録用紙サイズがユーザにより設定入力された任意の用紙サイズに変更される（Ｓ３３０）。この場合，上記ステップＳ３１０で空欄５５が選択された場合は，その空欄５５に新たな用紙サイズが追加登録されることになる。その後，ステップＳ３４０において所定の設定完了キー等が押圧されることにより，登録用紙サイズの設定変更が終了し，登録用紙サイズ変更処理が終了する。このような処理がなされることにより，任意の用紙サイズを上記登録用紙サイズテーブルに登録することができ，その結果，不特定のサイズの原稿であっても，適切にそのサイズを検出することが可能となる。
【００２４】
【実施例】
上述の実施の形態では，シート材の一例である原稿，即ち，画像形成装置により画像データが読み取られる原稿のサイズを検出する場合について説明してきたが，特にこれに限定されることはない。例えば，シート材の他の一例である記録紙，即ち，画像形成装置により画像データが転写される記録紙のサイズを検出する場合でも本本発明は適用され得る。具体的には，本画像形成装置Ｘに用いられる用紙カセットであって，上記記録紙が収納される用紙カセットに，収納された記録紙のサイズを検出する複数の記録紙検出センサ（シート材検出センサの一例）を図６に示される原稿サイズ検出センサ（６０ａ〜６０ｄ）の配設位置と同様の位置に設け，上記記憶部２０の用紙サイズテーブル格納領域２１（図１）に格納された用紙サイズテーブル７０（図５参照）を，上記複数の記録紙検出センサの出力信号と所定の用紙サイズとの組み合わせに関する組み合わせ情報として用いることにより，本画像形成装置Ｘの制御部１０の各機能（用紙サイズ選択機能１１，組み合わせ情報生成機能１２，登録用紙サイズ選択機能１３，登録用紙サイズ変更機能１４）が上記用紙カセットに収納される記録紙のサイズに対しても発揮され得る。
これにより，従来記録紙のサイズ毎に設けられていた用紙カセットを共通化することが可能となるだけでなく，上記用紙カセットに収納された定型用紙サイズ以外のＬｅｔｔｅｒ，ＬｅｔｔｅｒＲサイズをも検出することが可能となる。
【００２５】
【発明の効果】
以上説明したように，本発明によれば，原稿或いは記録紙等のシート材のサイズを自動的に検出する画像形成装置に，シート材検出センサの出力信号と所定の用紙サイズとの組み合わせに関する組み合わせ情報の内容を変更する組み合わせ情報変更手段を具備して構成されているため，組み合わせ情報内の用紙サイズを任意のサイズに変更することが可能となり，変更したサイズと同じシート材を適切に検出することができるので，その結果，これまでユーザが感じていた不便性を解消する効果を奏する。
また，上記組み合わせ情報の内容をカスタマイズするカスタマイズ手段の一例であるカスタマイズモードから上記組み合わせ情報に含まれる所定の用紙サイズを選択し，選択された用紙サイズを変更することにより新たな組み合わせ情報を生成することによっても同様の効果を奏する。
【図面の簡単な説明】
【図１】本発明の実施の形態に係る画像形成装置の概略構成を示すブロック図。
【図２】本発明の実施の形態に係る第１の用紙サイズ変更処理の手順を説明するフローチャート。
【図３】本発明の実施の形態に係る第２の用紙サイズ変更処理の手順を説明するフローチャート。
【図４】本発明の実施の形態に係る登録用紙サイズ変更処理の手順を説明するフローチャート。
【図５】カスタマイズモードで表示される用紙サイズテーブル設定変更画面の一例を示す図。
【図６】定型用紙サイズ及び原稿検出センサの配置関係を示す図。
【図７】用紙検出センサの出力信号に対応する用紙サイズを示す図表。
【符号の説明】
１０…制御部
１１…用紙サイズ選択機能
１２…組み合わせ情報生成機能
１３…登録用紙サイズ選択機能
１４…登録用紙サイズ変更機能
２０…記憶部
３０…操作表示部
５０…用紙サイズテーブル設定変更画面
５１…設定キー
５２…終了キー
５３…登録サイズ変更キー
５４…登録用紙サイズテーブル
６０…原稿検出センサ
６１…原稿台
６２…原稿基準位置
７０…用紙サイズテーブル
【図１】
2005024713.tif 000003
【図２】
2005024713.tif 000004
【図３】
2005024713.tif 000005
【図４】
2005024713.tif 000006
【図５】
2005024713.tif 000007
【図６】
2005024713.tif 000008
【図７】
2005024713.tif 000009